(57)【要約】【課題】軟質積層フィルムからなる非自立性平袋状小袋を簡便に自立させる構造を開発提案すると共に、小袋の注出通路を開封するときにフィルム残片などが袋本体から分離しないようにすること。【解決手段】積層フィルムを袋状にヒートシールしてなる小袋であって、この小袋は、袋本体の頂部には、各種キャップの形状を模して作られた口栓部が突設され、この袋本体の下部には両側縦シール部分および下側横ヒートシール部分にかけて溝状切目線を形成した自立させるための脚底部が設けられ、前記口栓部と袋本体との境界部分には、開封のための引裂き誘導線が設けられている自立型液体包装用小袋。【選択図】図１
2010155651.tif 000002
【特許請求の範囲】
【請求項１】
表裏２枚の積層フィルムを袋状にヒートシールしてなる小袋であって、この小袋は、袋本体の頂部には、各種キャップの形状を模して作られた注出通路が設けられている口栓部が突設されており、この袋本体の下部には、両側縦シール部分および下側横ヒートシール部分にかけて溝状切目線を形成した脚底部が設けられ、前記口栓部と袋本体との境界部分には、開封のための引裂き誘導線が設けられていることを特徴とする自立型液体包装用小袋。
【請求項２】
前記口栓部と袋本体との境界部分には、引裂き誘導線の引き裂き方向の途中もしくはそれの延在位置に引裂進展阻止部を有することを特徴とする請求項１に記載の自立型液体包装用小袋。
【請求項３】
前記引裂進展阻止部は、引裂き誘導線に対向して設けられた円弧状の切込みもしくは打抜き孔からなることを特徴とする請求項１または２に記載の自立型液体包装用小袋。
【請求項４】
前記溝状切目線は台形の切り込みにて形成されており、その上端部には、張り出す形で縦ヒートシール部分に、折線が設けられていることを特徴とする請求項１〜３のいずれか１に記載の自立型液体包装用小袋。
【請求項５】
前記脚底部は、溝状切目線より下部の部分を袋の厚み方向に折り起こして衝立状としたときに自立用脚底部になるものであることを特徴とする請求項１〜４のいずれか１に記載の自立型液体包装用小袋。
【請求項６】
前記袋本体は、軟質の２層もしくは３層の積層フィルムを用い、かつ少なくとも下側横ヒートシールと両側縦シールを施した三方シール袋もしくは四方シール袋からなる非自立性平袋からなることを特徴とする請求項１〜５のいずれか１に記載の自立型液体包装用小袋。
【発明の詳細な説明】
【技術分野】
【０００１】
本発明は、自立型液体包装用小袋に関し、とくに、シャンプーやリンス、クリーム、洗剤などの液体化粧料あるいは醤油やソース、ドレッシング、ケチャップなどの液状の調味料などを封入し、本来は使い捨てにするために非自立型で用いられる平袋状小袋を、使い残した場合などに卓上等において自立させておくことができるような構造にしてなる液体包装用小袋に関するものである。
【背景技術】
【０００２】
一般に、シャンプーやリンスあるいは弁当やカップ麺などのテイクアウト食品に添付される醤油やソース、めんつゆなどの液体調味料の場合、自立性のない使い切りタイプの小さな平袋状軟質包装袋（小袋）内に密封充填されている。それは、使い切ることを想定して製作されているために、ヒートシール部に注出通路を設けることをはあっても、自立性のない構造をしているのが普通である。
【０００３】
これに対し、自立する袋としては、リフィル（詰め替え）を目的として使用される大型のものが、例えば、特許文献１などでは台形底にしたガゼットタイプ自立袋として提案されている。また、特許文献２には、袋の自立性と注出性を向上させるために、袋上下部をガゼットにした自立袋、あるいは特許文献３には、自立姿の安定性を確保するために、底部を側部に接着させないタイプの自立袋というものを開示している。
【０００４】
こうした小袋の場合、一般には、特許文献４に示すように、縦シールや横シール内（多くはその境界部分）に注出通路を有するものが用いられるが、時として、詰め替え袋の場合には、特許文献２に示すように、袋本体の上端部に注出口部を突設し、その頭部を切り取って開封する形式のものも提案されている。
【発明の概要】
【発明が解決しようとする課題】
【０００５】
ただし、特許文献１、２および３に開示されている自立袋は、いずれも詰め替えなどを目的とした大型ないし中型の、充填する液状物の量が多い、軟質積層フィルムなどからなる軟質包装袋が対象となっている。逆に、これらの包装袋は、充填量が多くなると、自立の安定性が失われることから、必然的に縦シールおよび／または横シールを工夫した船底形、台形底状とした底部をもつガゼット袋にすることが不可欠となる。もちろん、本発明で対象としているような平袋状小袋については、充填量が少ないし、コストも嵩むので、このようなガゼットタイプの自立底部を有する袋にする必要はない。
【０００６】
また、開封のために注出口部を含む頭部を切り取る特許文献４に開示されているような包装袋では、切り離したフィルム片が、しばしば、台所や洗面所のシンク内排水溝に流れ込み、排水管詰りの原因になるという問題もあった。
【０００７】
そこ、本発明の第１の目的は、軟質積層フィルムからなる非自立性平袋状小袋を、ガゼット底にするまでもなく、簡便に自立させることができるような小袋の構造を開発し提案することにある。
【０００８】
本発明の第２の目的は、小袋の注出通路を開封するときにフィルム片などが袋本体から分離しないようにするための引裂き誘導線部の新しい構成を提案することにある。
【課題を解決するための手段】
【０００９】
従来技術が抱えている上述した課題を克服し、上記目的を実現すべく鋭意研究を重ねた結果、発明者らは、以下に述べる解決手段に想到するに到った。即ち、本発明は、表裏２枚の積層フィルムを袋状にヒートシールしてなる小袋であって、この小袋は、袋本体の頂部には、各種キャップの形状を模して作られた注出通路が設けられている口栓部が突設されており、この袋本体の下部には、両側縦シール部分および下側横ヒートシール部分にかけて溝状切目線を形成した脚底部が設けられ、前記口栓部と袋本体との境界部分には、開封のための引裂き誘導線が設けられていることを特徴とする自立型液体包装用小袋である。
【００１０】
上記の構成に係る本発明においては、
（１）前記口栓部と袋本体との境界部分には、引裂き誘導線の引き裂き方向の途中もしくはそれの延在位置に引裂進展阻止部を有すること、
（２）前記引裂進展阻止部は、引裂き誘導線に対向して設けられた円弧状の切込みもしくは打抜き孔からなること、
（３）前記溝状切目線は台形の切り込みにて形成されており、その上端部には、張り出す形で縦ヒートシール部分に、折線が設けられていること、
（４）前記脚底部は、溝状切目線より下部の部分を袋の厚み方向に折り起こして衝立状としたときに自立用脚底部になるものであること、
（５）前記袋本体は、軟質の２層もしくは３層の積層フィルムを用い、かつ少なくとも下側横ヒートシールと両側縦シールを施した三方シール袋もしくは四方シール袋からなる非自立性平袋からなること、
がより好ましい解決手段を提供する。
【発明の効果】
【００１１】
上述したように構成される本発明によれば、
（１）袋本体上部に、各種キャップの形状を模して作られた口栓部を突出させた形状を有するので、表面に各種容器のデザインを印刷した場合、あたかも外観の姿形状が被包装物（シャンプー、醤油、マヨネーズｅｔｅ．）容器がそこにあるように感じられ、デザイン的にも優れ、商品のアピールやディスプレイ効果に優れた小袋を提供することができる。
（２）軟質積層フィルムからなる自立性のない平袋状小袋ではあるが、袋本体下部に溝状切目線を入れて脚底部を引き起こして衝立状になるようにしたので、その脚底部を引き起こすだけで簡単に自立させることができるようになるので、使い残した時でも被包装物をこぼすことなく、立ち姿で保持させておくことができ、一時な格納、保管も可能になる。
（３）頂部の口栓部と袋本体との境界部分に設けた引裂き誘導線の引き裂き方向の途中もしくはそれの延在位置に、引裂進展阻止部を設けたので、開封のために口栓部を切り進めたときでも、引き裂きの進展がその部分で食い止められる結果、フィルム片が袋本体から離れるようなことがなくなり、排水管詰りを招くようなこともなくなる。
【図面の簡単な説明】
【００１２】
【図１】本発明に係る小袋の正面図である。
【図２】小袋の脚底部を引き起こした状態の斜視図である。
【図３】引裂き誘導線の詳細を示す口栓部の正面図である。
【図４】口栓部の一部を引き裂いた状態を示す正面図である。
【発明を実施するための形態】
【００１３】
本発明の液体用包装用小袋は、図１に示すように、基本的には、方形の袋本体１とその頂部に突設した口栓部２とからなり、表面には、例えば、醤油やマヨネース、ケチャップ等あるいはシャンプーやリンス、クリーム等の代表的な容器模様を印刷したデザインパウチとして用いられるものである。図２に示す例は、シャンプー容器の一例を印刷したものであるが、図柄は自由に選ぶことができる。
【００１４】
この小袋の特徴の１つは、表裏２枚の軟質積層フィルムからなる平袋によって形成されているために非自立性である袋体を、自立袋になるようにした点にある。即ち、こうした小袋の主たる用途は、１回限りの使い切りを想定した使い捨ての袋である。しかし、時として使い切れない場合や一時的に使用を中止したいときには、液状の内容物（被包装物）がこぼれ出ないようにすることが必要であり、そのためにはこの小袋を自立させることが必要になる。本発明はこうした要望に応える構造をその小袋に付与したものである。
【００１５】
上記の要望に応えるために、本発明では、袋本体１の下部に、逆台形を代表例とする（四角形でもよい）溝状切目線３を、下側（底部）横ヒートシール部分および両側縦ヒートシール部分にかけて入れ、この切目線３より下側の部分に自立をもたらす脚底部を形造り、この溝状切目線３の外側（即ち、脚底部４の部分）を袋本体１から、図２に示すように、袋の厚み方向に折り起こして衝立状とし、この脚底部４下端部と残った袋本体１の下端部とで、安定した脚立形状を与えて、自立できるようにした。なお、上記溝状切目線３は、完全な切り抜きではなく、一部にミシン目の如き切り残しをもつようにすることが、不測のフィルム破断や破袋を防ぐ意味で有効である。
【００１６】
そのため、本発明では、袋本体１は、逆台形の溝状切目線３を形成するために、少なくとも底部と両側部、即ち下側横ヒートシール５と両側縦ヒートシール６、６’を有する３方シール袋もしくは４方シール袋を用いることが求められる。
【００１７】
なお、前記小袋は、例えば、ベースフィルム／シラーント層の二層構造や、ベースフィルム／中間層／シーラント層の３層構造からなる軟質の合成樹脂製積層フィルムを用いて製作される。そのベースフィルムとしては、ＮＹ、ＰＥＴ等が用いられ、また中間層の材質としては、Ａｌ、ＮＹ、ＰＥＴ、ＥＶＯＨ、シリカやアルミナ、アルミなどを蒸着したもの、ポリ塩化ビニリデンコーティングしたもの等が好適である。また、シーラント層としては、ＬＬＤＰＥ、ＣＰＰ等の使用が可能である。自立に必要な剛性を付与するという点から中間層に、アルミニウムを積層したものを用いることが好ましい。
【００１８】
この小袋の製造方法、とくに前記溝状切目線３は、自動充填機で充填された連包袋に同期する打抜き装置を用いて、切り込みを入れて形成する。同時に、図１〜４に示すように、各種容器形状を模してキャップを含むそれぞれ固有の形状に打ち抜くことで、意匠性と機能性を併せ持った小袋の提供も可能となる。
【００１９】
本発明において、前記溝状切目線３の両上端部には、縦ヒートシール６、６’内にあって、ちょうど横に張り出す形の翼状となる折線７、７’が設けられ、前記脚底部４を折り起こす助けになるようにすることが好ましい。こうすることで、脚底部４の下面と袋本体１の下端との間で安定した自立状態を確保することができるようになる。
【００２０】
本発明ではまた、上述したとおり、前記袋本体１頂部には、各種容器のキャップ（蓋体）形状を模して作られた口栓部２が突設されている。この口栓部２は、両側部および頂部の３方がヒートシールされ、中央部が袋本体に連通する注出通路８となっており、開封は、この口栓部２に設けられる開封予定線、即ち、ベースフィルム以外の部分に引裂き誘導疵をレーザ等により加工してなる引裂き誘導線９の位置を引き裂いて達成される。従って、本発明では、該口栓部２の基部、もしくはその近傍、例えば、該口栓部２と袋本体１との境界部分に、該引裂き誘導線９を形成している。それは正に、キャップ（蓋体）を開くに等しいものとなる。
【００２１】
本発明においては、前記引裂き誘導線９について、前記口栓部２と袋本体１との境界部分には、引裂き誘導線９の引き裂き方向の途中もしくはそれの延在位置に引裂進展阻止部１０を形成しておく。この引裂進展阻止部１０のため、引き裂き応力が、この部分で食い止められ、それ以上に引き裂きが進展しなくなり、いわゆる口栓部２が袋本体１に常に繋がった状態となる。
【００２２】
なお、前記引裂進展阻止部１０は、引裂き誘導線９に対向して設けられた円や楕円などの円弧状、角溝状の切り込みもしくは同形の打抜き孔からなるものとすることが好適である。要するに、この引裂進展阻止部１０の存在の故に、開封のために口栓部を切り進めたときでも、フィルム片が袋本体から離れて、あたりにちらかるようなことがなくなるので、排水管詰りを招くこともなくなるのである。
【００２３】
なお、前記円弧状切込み等の引裂進展阻止部１０の作用は、フィルム片が飛び散るのを防止できるだけに止まらず、いつまでも本体に繋がっているので、小袋を自立させたときに手で持つときにも便利に利用される。
【産業上の利用可能性】
【００２４】
本発明は、液体あるいは粘稠物等の液状物、固形物含有液体を充填した小袋を対象としているが、所謂、大きい袋や本来自立性を付与されたガゼット袋のガゼットの一部に適用してもよい。
【００２５】
１  袋本体
２  口栓部
３  溝状切目線
４  脚底部
５  下側横ヒートシール
６、６’  両側縦ヒートシール
７、７’  折線
８  注出通路
９  引裂き誘導線
１０  引裂進展阻止部
【先行技術文献】
【特許文献】
【００２６】
【特許文献１】特公昭５７−７９８４号公報
【特許文献２】特開平１１−３２１８８６号公報
【特許文献３】特開２０００−２１１６５５号公報
【特許文献４】特開２０００−２０３６０３号公報
【図１】
2010155651.tif 000003
【図２】
2010155651.tif 000004
【図３】
2010155651.tif 000005
【図４】
2010155651.tif 000006